(57)【要約】      （修正有）【課題】樹木が成長するのを阻害しないように、樹木の根元まで長期間防草の役目をする防草シートを提供する。【解決手段】透水性、通気性および耐候性を有する不織布からなる布１の、周縁部１１からほぼ中央に向かって布が開口するように、布の周縁部側が綴じ側で、中央部側で布から離脱するファスナー３を、布の中央部側でスライダー３３が抜けきれるように端部を処理して設ける。そして布には切込みが設けてあり、その切込みにはファスナーが開口するような複数のスライダーを有する植込みファスナー４が設けてある。【選択図】図１
0003163528.tif 000002
【実用新案登録請求の範囲】
【請求項１】
一定の広さからなる透水性、通気性および耐候性を有する不織布からなる布の周縁部からほぼ中央に向かって布が開口するように設けられたファスナーを有することを特徴とする防草シート。
【請求項２】
前記ファスナーは前記布の周縁部側が綴じ側であることを特徴とする前記請求項１記載の防草シート
【請求項３】
前記ファスナーは前記布の中央部側で布から離脱しており、離脱する近傍に透孔が開けられるように構成されていることを特徴とする前記請求項２記載の防草シート。
【請求項４】
前記ファスナーは前記布の中央部側でスライダーが抜けきれるように端部が処理されていることを特徴とする前記請求項２または３記載の防草シート。
【請求項５】
前記布には内部に切込みが設けてあり、その切込みには切込みが開口するような植込みファスナーが設けられ、その植込みファスナーには複数のスライダーが設けられていることを特徴とする前記請求項１記載の防草シート
【考案の詳細な説明】
【技術分野】
【０００１】  本考案は、植生した樹木のまわりに雑草の繁茂するのを防止するために用いるに好適な防草シートに関する。
【背景技術】
【０００２】  従来より、いわゆる雑草には手を焼いており、とりわけ樹木の周りにおいては草刈機も入れにくく、雑草除去作業は手間であった。そこで、防草シートで周辺の土を覆うことが考えられたが、きっちりと樹木の周りを覆うと樹木が成長するのを阻害したり、あるいは防草シートが破損して防草の役目をしなくなる。そこで特開２００５−１７６７５４号公報（技術文献１）に示されるように、防草シートのベース樹脂に生分解性樹脂を用いることにより、木の根元まで防草でき、さらに木本類植物が育ったりして防草シートが不要になったときにシートを取り外す手間も不要になることが提案されている。
【先行技術文献】
【特許文献】
【０００３】
【特許文献１】  特開２００５−１７６７５４号公報
【考案の概要】
【考案が解決しようとする課題】
【０００４】  しかしながら生分解性樹脂は太陽光を遮断する能力しかなく、雑草を根本的に成長させないというものではないから、シートが分解するにつれもやしのような雑草は生長するし、分解後は逆に栄養素になるので雑草の生長を助長することになり、森林のように樹木が生長することによって地面に太陽の光が届きにくくなる場合には有効であるが、公園のように樹木の間隔があいている場合にはむしろ不都合である。またそれ自体の耐用年数が比較的短く、長期間の防草を希望する場合には防草シートを交換または敷き直しをしなくてはならないので煩雑でありまた維持費が高価になる。
【課題を解決するための手段】
【０００５】  本考案はこのような点に着目してなされたもので、もっとも好ましくは透水性、通気性および耐候性を有する不織布からなる布の、周縁部からほぼ中央に向かって布が開口するように、布の周縁部側が綴じ側で、中央部側で布から離脱するファスナーを、布の中央部側でスライダーが抜けきれるように端部を処理して設けたものである。そして布には切込みが設けてあり、その切込みにはファスナーが開口するような複数のスライダーを有する植込みファスナーが設けてある。
【考案の効果】
【０００６】  このような構成となっているので、布の中央部付近であるところのファスナーが離脱した近辺を、樹木等の大きさに応じて切り抜くことで、樹木の周りに沿った穴（透孔）を開け、その穴の位置に樹木等の幹が位置するように防草シートを配置することによって、樹木等の周りの土をマントのように覆うことが出来る。そして、樹木等の生長によってファスナーのスライダー位置がずれるかまたはスライダーを取り除いた場合にはファスナーがほつれていくので、穴の開口が大きくなり樹木等の生長を阻害しない。スライダーが抜き取れる場合には防草シートの盗難防止の役目も果たす。布が透水性、通気性および耐候性を有するので樹木等の生長に必要な空気や水分が十分補給でき、耐候性があるので１０年とか１５年といった長期間に亙って防草効果が得られる。樹木等の周りの複数スライダーを持つファスナーには、かわいい花をつける草花やサツキなどの低木などを植えることも出来る。
【図面の簡単な説明】
【０００７】
【図１】  本考案実施例の防草シートの平面図である。
【図２】  本考案実施例の防草シートの使用例を説明する図である。
【考案を実施するための形態】
【０００８】  図１及び図２において、１は透水性、通気性および耐候性を有する不織布からなる布であり、その中央部には透孔２が設けてある。布１の、周縁部１１からほぼ中央に向かって布が開口するように、布１の周縁部側が綴じ側で、中央部側で布から離脱するファスナー３を設けたものである。また布１には切込みが設けてあり、その切込みにはファスナーが開口するような複数のスライダー４１を有する植込みファスナー４が設けてある。以下本考案を詳細に説明する。
【実施例】
【０００９】  布１は、繊維を織った着物地を意味するものではなく、狭義の布、不織布のほか、丈夫な和紙、樹脂シート、生分解性プラスチック、千切れる金属箔、かつら剥きされた樹皮などが利用できる。然しながら、好ましくは本発明の趣旨からの明確なように、布には透水性、通気性および耐候性を有するものが好ましいので、もっとも好ましくは不織布、例えばポリプロピレン多層スパンバンドからなるが、他にもアラミド繊維、ガラス繊維、セルロース繊維、ナイロン繊維、ビニロン繊維、ポリエステル繊維、ポリオレフィン繊維、レーヨン繊維などを用いることが出来る。これらの材質を用いるときの条件は、樹木の育成に必要な水分と、空気が布地を透過することのほか、耐候性が必要で、例えば日本国内の通常の天候管理下で１０年間腐敗しないことが望ましい。これは樹木の寿命が長いからである。もちろん腐敗しない１０年間というのはあくまで目安で、上述したポリプロピレン不織布では１５年以上の実績を持つし、公園などでは交換できるので、もっと短期間となっても良いが、耐候性は好ましくは必要である。【００１０】  布１に透孔２から周縁部１１にかけて切り込みをいれ閉塞手段としてファスナー（滑り式留金具）３をつける。ファスナー３は分離タイプのものが好ましく、金属ファスナー、コイルファスナー、プラスチックファスナーなどが利用できるが、耐候性や、土壌の影響があることを考慮すると樹脂製のファスナーが好ましく、金属ファスナーの場合は腐食し難い材質や表面処理を施すのが好ましい。また布１の中央部側で布から離脱する離脱部分３２を持った構成とする。つまりファスナー３は布の端縁部１１からほぼ中央までの部分において布１に縫い付けられている。さらには、布１の中央部側でスライダーが抜けきれるようにファスナー地は端部を処理してある。【００１１】  このように構成することで、布１の中央部付近のファスナーが離脱した近辺を、樹木等５の大きさに応じて切り抜くことで、樹木等５の周りに沿った透孔２を開けることが出来、樹木等５の周りの土をマントのように覆うことが出来る。そして樹木等５の生長によってファスナー３のスライダー３３がずれるので開口が大きくなり、樹木等５の成長を阻害しない。スライダー３３が抜き取れる場合には防草シートの盗難防止の役目も果たす。【００１２】  また同じような植込みファスナー４は、ファスナーが通常は一つのスライダーしかついていないのに対して、かわいい花をつける草花やサツキなどの低木などを植えるために、植込みファスナー４のほぼ中央部任意箇所が開口するように、スライダー４１を１個以上設ける。これにより、苗や苗木を土壌中に差し込みやすくなり、その配置の自由度も向上するので、芽の伸び具合・葉のしげり具合を考慮しながら樹木等５の周辺を演出することが出来る。布１は、図では四角形であるがこれに限られるものでなく八角形であったり、円形であったり、樹木等５の植え込みの囲いにあわせてカッティングしてもよい。【００１３】  このような植込みファスナー４は、布１の中に複数設けることもできるし、切り込みを長尺とし、ファスナー４を、苗や苗木を植える列ごとに一本として、それぞれ苗を植えたい場所にスライダーの対を配置するこ��も出来る。またファスナーは一般に、壊れると修繕が困難で交換するしかないのが、本考案における植込みファスナー４は服飾と異なり頻繁に開閉するものではないので、一連化にしてファスナーの縫製作業を容易にする方が効率的であり、苗の間隔や本数が決まるので、１列１連であればそれに合わせた苗の配置が選択できるという長所がある。
【産業上の利用可能性】
【００１４】  公園などにおいても、樹木の大きさに応じて樹木の生長を阻害することなく防草することが出来、１０年とか１５年といった長期間に亙って防草効果が得られる。また樹木等５の周りには、かわいい花をつける草花やサツキなどの低木などを植えることも出来る。
【符号の説明】
【００１５】  １  布
１１  周縁部
２  透孔
３  ファスナー
３１  綴じ側
３２  離脱部分
３３  スライダー
４  植込みファスナー
４１  スライダー
５  樹木等
【図１】
0003163528.tif 000003
【図２】
0003163528.tif 000004